(57)【要約】【課題】  供給する電源の配線を削減することが可能な電源供給回路を実現する。【解決手段】  集積回路内で電源を電力消費手段に供給する電源供給回路において、複数の電力消費手段と、複数の電源から供給される電流を時分割に選択して出力する電源供給手段と、この電源供給手段でそれぞれ選択された電流を時分割で切り換えて対応する電力消費手段に供給する電源分配手段とを設ける。【選択図】                    図１
2008090422.tif 000002
【特許請求の範囲】
【請求項１】
集積回路内で電源を電力消費手段に供給する電源供給回路において、
複数の電力消費手段と、
複数の電源から供給される電流を時分割に選択して出力する電源供給手段と、
この電源供給手段でそれぞれ選択された電流を時分割で切り換えて対応する前記電力消費手段に供給する電源分配手段と
を備えたことを特徴とする電源供給回路。
【請求項２】
前記電源供給手段が、
複数の前記電源と、
マルチプレクサ回路と、
前記複数の電源から供給される電流を前記マルチプレクサ回路で時分割に選択して出力させる制御手段とから構成されたことを特徴とする
請求項１記載の電源供給回路。
【請求項３】
前記電源分配手段が、
デマルチプレクサ回路と、
このデマルチプレクサ回路の出力を対応する前記電力消費手段に供給すると共に非選択信号の印加時に前記電力消費手段に定電流を流す複数の保持手段と、
それぞれ選択された電流を前記デマルチプレクサ回路で時分割に切り換えて前記保持手段を介して対応する前記電力消費手段に出力すると共に選択されていない前記保持手段に前記非選択信号を印加する制御手段とから構成されたことを特徴とする
請求項１記載の電源供給回路。
【請求項４】
前記電源が、
定電流源と、
この定電流源の出力電流をミラーリングして出力する電流ミラー回路とから構成されたことを特徴とする
請求項１若しくは請求項２記載の電源供給回路。
【請求項５】
前記保持手段が、
前記デマルチプレクサ回路の出力がドレイン及びゲートに接続されソースが負電圧源に接続されるトランジスタと、
このトランジスタゲートに一端が接続され前記非選択信号が印加された場合にＯＦＦになるスイッチ回路と、
一端が負電圧源に接続され他端が前記スイッチ回路の他端に接続されゲート電圧の値を保持すると共に対応する前記電力消費手段の電源入力端子に接続される容量とから構成されたことを特徴とする
請求項３記載の電源供給回路。
【請求項６】
前記電力消費手段が、
前記保持手段の出力がゲートに印加されソースが負電圧源に接続されるトランジスタと、
このトランジスタのドレインに端が接続され他端が正電圧源に接続される負荷回路とから構成されたことを特徴とする
請求項１乃至請求項５のいずれかに記載の電源供給回路。
【請求項７】
前記電源が、
複数の前記電力消費手段によって共有されたことを特徴とする
請求項１乃至請求項６のいずれかに記載の電源供給回路。
【発明の詳細な説明】
【技術分野】
【０００１】
本発明は、集積回路内で負荷回路等の電力消費手段に電源を供給する電源供給回路に関し、特に供給する電源の配線を削減することが可能な電源供給回路に関する。
【背景技術】
【０００２】
従来の集積回路内で負荷回路等の電力消費手段に電源を供給する電源供給回路に関連する先行技術文献としては次のようなものがある。
【０００３】
【特許文献１】特開昭６１−０５１２１９号公報
【特許文献２】特開昭６３−０８４９４９号公報
【特許文献３】特開平０３−１２５２０５号公報
【特許文献４】特開平１１−３３８５６１号公報
【特許文献５】特開２００３−２５６０５７号公報
【０００４】
図６は従来の電源供給回路の一例を示す構成ブロック図である。図６において１，２及び３は集積回路内に設けられ定電流を供給する電源、４，５及び６は集積回路内に設けられ負荷回路等の供給された定電流を消費する電力消費手段である。また、１，２及び３は電源供給手段８０を構成している。
【０００５】
電源１の出力である定電流は電力消費手段４に供給される。同様に、電源２及び電源３の出力である定電流はそれぞれ電力消費手段５及び電力消費手段６に供給される。
【０００６】
ここで、図６に示す従来例の動作を図７及び図８を用いて説明する。図７は電源の具体例を示す回路であり、図７において７及び８はＦＥＴ（Field Effect Transistor：電解効果）トランジスタ（以下、単にトランジスタと呼ぶ。）、９は出力電流が一定である定電流源である。また、７，８及び９は電源８１を構成している。
【０００７】
トランジスタ７のゲートは、トランジスタ７のドレイン、トランジスタ８のゲート及び定電流源９の一端にそれぞれ接続される。また、トランジスタ７及び８のソースは正電圧源（ＶＤＤ）にそれぞれ接続され、定電流源９の他端は負電圧源（ＶＳＳ）に接続される。さらに、図７中”ＯＰ１１”に示すようにトランジスタ８のドレインからは定電流が出力される。
【０００８】
一方、図８は電力消費手段の具体例を示す回路であり、図８において１０及び１１はトランジスタ、１２は電流（電力）を消費する負荷回路である。また、１０，１１及び１２は電力消費手段８２を構成している。
【０００９】
図８中”ＩＰ２１”に示す入力はトランジスタ１０のドレイン及びゲート、トランジスタ１１のゲートにそれぞれ供給され、トランジスタ１１のドレインは負荷回路１２の一端に接続される。また、負荷回路１２の他端は正電圧源（ＶＤＤ）に接続され、トランジスタ１０及び１１のソースは負電圧源（ＶＳＳ）にそれぞれ接続される。
【００１０】
各電源１〜電源３は、図７に示すようにトランジスタ７及びトランジスタ８から成る電流ミラー回路と、定電流源９とで構成され、定電流源９の出力である定電流を電流ミラー回路がミラーリングして図７中”ＯＰ１１”に示す電流（定電流）として出力する。
【００１１】
一方、このような定電流は、図８に示すようにトランジスタ１０及びトランジスタ１１から成る電流ミラー回路に供給されるので、負荷回路１２には供給された電流と同じ値の定電流が供給されて消費されることになる。
【００１２】
この結果、集積回路内に設けられ電流ミラー回路等の定電流を供給する電源と、集積回路内に設けられ負荷回路等の供給された定電流を消費する電力消費手段を相互に接続することにより、電力消費手段に電源を供給することが可能になる。
【発明の開示】
【発明が解決しようとする課題】
【００１３】
しかし、図６に示す従来例では、電源供給手段８０から供給される電源はスタティックな信号であり、短距離での配線が必要な信号が優先されることにより、集積回路の配線レイアウトに際して配線長が長くなってしまう傾向にある。
【００１４】
尚且つ、電源と電力消費手段とは１対１に対応している場合が多く、このため、電源と電力消費手段を接続する配線の数は電源の個数分だけ必要となる。例えば、図６に示す従来例の場合、電源の個数が３個であるので、図６中”ＬＮ０１”、”ＬＮ０２”及び”ＬＮ０３”に示すように３本の配線を設ける必要性がある。
【００１５】
このため、集積回路内に長い配線長の配線を複数本配置しなければならず、集積回路のチップ面積が広がる要因となると共に配線レイアウトが複雑になると言った問題点があった。
従って本発明が解決しようとする課題は、供給する電源の配線を削減することが可能な電源供給回路置を実現することにある。
【課題を解決するための手段】
【００１６】
このような課題を達成するために、本発明のうち請求項１記載の発明は、
集積回路内で電源を電力消費手段に供給する電源供給回路において、
複数の電力消費手段と、複数の電源から供給される電流を時分割に選択して出力する電源供給手段と、この電源供給手段でそれぞれ選択された電流を時分割で切り換えて対応する前記電力消費手段に供給する電源分配手段とを備えたことにより、供給する電源の配線を削減することが可能になる。
【００１７】
請求項２記載の発明は、
請求項１記載の発明である電源供給回路において、
前記電源供給手段が、
複数の前記電源と、マルチプレクサ回路と、前記複数の電源から供給される電流を前記マルチプレクサ回路で時分割に選択して出力させる制御手段とから構成されたことにより、供給する電源の配線を削減することが可能になる。
【００１８】
請求項３記載の発明は、
請求項１記載の発明である電源供給回路において、
前記電源分配手段が、
デマルチプレクサ回路と、このデマルチプレクサ回路の出力を対応する前記電力消費手段に供給すると共に非選択信号の印加時に前記電力消費手段に定電流を流す複数の保持手段と、それぞれ選択された電流を前記デマルチプレクサ回路で時分割に切り換えて前記保持手段を介して対応する前記電力消費手段に出力すると共に選択されていない前記保持手段に前記非選択信号を印加する制御手段とから構成されたことにより、供給する電源の配線を削減することが可能になる。
【００１９】
請求項４記載の発明は、
請求項１若しくは請求項２記載の発明である電源供給回路において、
前記電源が、
定電流源と、この定電流源の出力電流をミラーリングして出力する電流ミラー回路とから構成されたことにより、供給する電源の配線を削減することが可能になる。
【００２０】
請求項５記載の発明は、
請求項３記載の発明である電源供給回路において、
前記保持手段が、
前記デマルチプレクサ回路の出力がドレイン及びゲートに接続されソースが負電圧源に接続されるトランジスタと、このトランジスタゲートに一端が接続され前記非選択信号が印加された場合にＯＦＦになるスイッチ回路と、一端が負電圧源に接続され他端が前記スイッチ回路の他端に接続されゲート電圧の値を保持すると共に対応する前記電力消費手段の電源入力端子に接続される容量とから構成されたことにより、供給する電源の配線を削減することが可能になる。
【００２１】
請求項６記載の発明は、
請求項１乃至請求項５のいずれかに記載の発明である電源供給回路において、
前記電力消費手段が、
前記保持手段の出力がゲートに印加されソースが負電圧源に接続されるトランジスタと、このトランジスタのドレインに端が接続され他端が正電圧源に接続される負荷回路とから構成されたことにより、供給する電源の配線を削減することが可能になる。
【００２２】
請求項７記載の発明は、
請求項１乃至請求項６のいずれかに記載の発明である電源供給回路において、
前記電源が、
複数の前記電力消費手段によって共有されたことにより、供給する電源の配線を削減することが可能になる。
【発明の効果】
【００２３】
本発明によれば次のような効果がある。
請求項１，２，３，４，５，６及び請求項７の発明によれば、複数の電源から供給される電流をマルチプレクサ回路で時分割に選択し、デマルチプレクサ回路でそれぞれ選択された電流を時分割で切り換えて保持手段を介して対応する電力消費手段に出力すると共に非選択信号が印加された選択されていない保持手段がゲート電圧の値を保持して電力消費手段に定電流を流すことにより、供給する電源の配線を削減することが可能になる。
【発明を実施するための最良の形態】
【００２４】
以下本発明を図面を用いて詳細に説明する。図１は本発明に係る電源供給回路の一実施例を示す構成ブロック図である。
【００２５】
図１において１３，１４及び１５は集積回路内に設けられ定電流を供給する電源、１６は複数の入力のうち一を選択して出力するマルチプレクサ回路、１７はマルチプレクサ回路の動作を制御する制御手段、１８は複数の出力のうち一を選択して入力を出力するデマルチプレクサ回路、１９はデマルチプレクサ回路の動作を制御する制御手段、２０，２１及び２２は供給される定電流を後段に供給すると共に定電流の非供給（非選択信号の印加）時に電力消費手段に定電流を流す保持手段、２３，２４及び２５は集積回路内に設けられ負荷回路等の供給された定電流を消費する電力消費手段である。
【００２６】
また、１３，１４，１５，１６及び１７は電源供給手段８３を、１８，１９，２０，２１及び２２は電源分配手段８４をそれぞれ構成している。
【００２７】
電源１３，１４及び電源１５の出力である定電流はマルチプレクサ回路１６の３つの入力端子にそれぞれ入力され、制御手段１７からの制御信号はマルチプレクサ回路１６の制御入力端子に入力される。
【００２８】
マルチプレクサ回路１６の出力端子はデマルチプレクサ回路１８の入力端子に接続され、デマルチプレクサ回路１８の３つの出力端子は保持手段２０，２１及び保持手段２３の入力端子にそれぞれ接続される。また、制御手段１９の制御信号はデマルチプレクサ回路１８の制御入力端子に入力され、制御手段１９からの非選択信号は保持手段２０，２１及び保持手段２２の制御入力端子にそれぞれ入力される。
【００２９】
保持手段２０の出力端子は電力消費手段２３の電源入力端子に接続され、同様に、保持手段２１及び２２の出力端子は電力消費手段２４及び２５の電源入力端子にそれぞれ接続される。
【００３０】
ここで、図１に示す実施例の動作を図２及び図３を用いて説明する。但し、電源１３が供給する定電流は電力消費手段２３に供給され、同様に、電源１４及び電源１５が供給する定電流は電力消費手段２４及び電力消費手段２５にそれぞれ供給されるものとする。
【００３１】
言い換えれば、電源１３，１４及び１５は電力消費手段２３，２４及び２５にそれぞれ対応しているものとする。
【００３２】
また、図２は電源の具体例を示す回路であり、図２において２６及び２７はＦＥＴ（Field Effect Transistor：電解効果）トランジスタ（以下、単にトランジスタと呼ぶ。）、２８は出力電流が一定である定電流源である。また、２６，２７及び２８は電源８５を構成している。
【００３３】
トランジスタ２６のゲートは、トランジスタ２６のドレイン、トランジスタ２７のゲート及び定電流源２８の一端にそれぞれ接続される。また、トランジスタ２６及び２７のソースは正電圧源（ＶＤＤ）にそれぞれ接続され、定電流源２８の他端は負電圧源（ＶＳＳ）に接続される。さらに、図２中”ＯＰ４１”に示すようにトランジスタ２７のドレインからは定電流が出力される。
【００３４】
一方、図３は保持手段及び電力消費手段の具体例を示す回路であり、図３において２９及び３２はトランジスタ、３０は非選択信号によって”ＯＦＦ”動作（選択時には”ＯＮ”）を行うスイッチ回路、３１はゲート電圧の値を保持する容量、３３は電流（電力）を消費する負荷回路である。また、２９，３０及び３１は保持手段８６を、３２及び３３は電力消費手段８７をそれぞれ構成している。
【００３５】
図３中”ＩＰ５１”に示す入力はトランジスタ２９のドレイン及びゲートと、スイッチ回路３０の一端にそれぞれ供給される。また、図３中”ＣＴ５１”に示す制御手段１９（図示せず。）からの非選択信号がスイッチ回路３０の制御入力端子に供給される。
【００３６】
スイッチ回路３０の他端は容量３１の一端に接続されると共に電力消費手段８７の電源入力端子に接続される。また、トランジスタ２９のソース及び容量３１の他端は負電圧源（ＶＳＳ）に接続される。
【００３７】
保持手段８６の出力はトランジスタ３２のゲートに供給され、トランジスタ３２のドレインは負荷回路３３の一端に接続される。また、負荷回路３３の他端は正電圧源（ＶＤＤ）に接続され、トランジスタ３２のソースは負電圧源（ＶＳＳ）にそれぞれ接続される。
【００３８】
各電源１３〜電源１５は、図２に示すようにトランジスタ２６及びトランジスタ２７から成る電流ミラー回路と、定電流源２８とで構成され、定電流源２８の出力である定電流を電流ミラー回路がミラーリングして図２中”ＯＰ４１”に示す電流（それぞれ異なる値の定電流）として出力する。
【００３９】
一方、制御手段１７及び制御手段１９は、例えば、リングカウンタ回路等によって構成され、同一のクロック信号等によってマルチプレクサ回路１６とデマルチプレクサ回路１８とが入力元の選択と出力先の選択とを同期して行うように制御する。また、制御手段１９は同時に選択されていない出力に接続された保持手段に非選択信号を印加する。
【００４０】
言い換えれば、マルチプレクサ回路１６が電源１３の出力を選択している場合には、デマルチプレクサ回路１８は出力先として保持手段２０（電力消費手段２３）を選択する。同様に、マルチプレクサ回路１６が電源１４の出力を選択している場合には、デマルチプレクサ回路１８は出力先として保持手段２１（電力消費手段２４）を選択し、マルチプレクサ回路１６が電源１５の出力を選択している場合には、デマルチプレクサ回路１８は出力先として保持手段２２（電力消費手段２５）を選択する。
【００４１】
また、制御手段１９はデマルチプレクサ回路１８が出力先として保持手段２０（電力消費手段２３）を選択している場合には保持手段２１及び２２に非選択信号を印加し、デマルチプレクサ回路１８が出力先として保持手段２１（電力消費手段２４）を選択している場合には保持手段２０及び２２に非選択信号を印加し、デマルチプレクサ回路１８が出力先として保持手段２２（電力消費手段２５）を選択している場合には保持手段２０及び２１に非選択信号を印加する。
【００４２】
そして、制御手段１７及び制御手段１９は、このような入力元の選択及び出力先の選択を時分割で連続して行うと共に、制御手段１９は、選択されていない他の保持手段に対して時分割で非選択信号を印加する。
【００４３】
ここで、電源１３、保持手段２０及び電力消費手段２３に着目して動作を説明する。マルチプレクサ回路１６が電源１３の出力を選択している場合、電源１３から出力される定電流は、マルチプレクサ回路１６及びデマルチプレクサ回路１８を介して保持手段２０の入力端子に供給される。
【００４４】
また、この時、図３中”ＣＴ５１”に示す制御手段１９からの非選択信号は印加されないので保持手段２０を構成するスイッチ回路３０は”ＯＮ”になっている。
【００４５】
このため、図３中”ＩＰ５１”に示すデマルチプレクサ回路１８からの定電流（電源１３の出力電流）は、トランジスタ２９及びトランジスタ３２から成る電流ミラー回路に供給されるので、負荷回路３３には供給された電流（電源１３の出力電流）と同じ値の定電流が供給されて消費されることになる。
【００４６】
そして、時間が経過して、マルチプレクサ回路１６が電源１３の出力の選択をやめて電源１４の出力を選択した場合、当然のことながら、デマルチプレクサ回路１８は出力先として保持手段２１（電力消費手段２４）を選択することになり、デマルチプレクサ回路１８からの電流の供給が停止すると共に、図３中”ＣＴ５１”に示す制御手段１９からの非選択信号が印加されることになるので保持手段２０を構成するスイッチ回路３０は”ＯＮ”から”ＯＦＦ”に遷移する。
【００４７】
この時、容量３１には、トランジスタ２９及びトランジスタ３２から成る電流ミラー回路が動作している時点のゲート電圧が保持されており、容量３１に保持されているゲート電圧がトランジスタ３２のゲートに印加されるので、トランジスタ３２は負荷回路３３にデマルチプレクサ回路１８から供給されていた電流（電源１３の出力電流）と同じ値の定電流を流すことになる。
【００４８】
このため、デマルチプレクサ回路１８からの電流の供給が瞬間的に停止した場合であっても、非選択信号によって制御される保持手段２０の保持機能によって負荷回路３３には電源１３の出力電流と等しい電流が流れることになる。
【００４９】
すなわち、複数の電源から供給される電流をマルチプレクサ回路で時分割に選択し、デマルチプレクサ回路でそれぞれ選択された電流を時分割で切り換えて保持手段を介して対応する電力消費手段に出力すると共に非選択信号が印加された選択されていない保持手段がゲート電圧の値を保持して電力消費手段に定電流を流すことにより、図１中”ＬＮ３１”に示すように長い配線長の配線は１本で済むことになる。
【００５０】
この結果、複数の電源から供給される電流をマルチプレクサ回路で時分割に選択し、デマルチプレクサ回路でそれぞれ選択された電流を時分割で切り換えて保持手段を介して対応する電力消費手段に出力すると共に非選択信号が印加された選択されていない保持手段がゲート電圧の値を保持して電力消費手段に定電流を流すことにより、供給する電源の配線を削減することが可能になる。
【００５１】
なお、図１に示す実施例では電源と電力消費手段が一対一に対応していたが、これに限定されるものではなく、複数の電力消費手段で１つの電源を共有する構成であっても構わない。
【００５２】
図４は本発明に係る電源供給回路の他の実施例を示す構成ブロック図である。図４において３４及び３５は集積回路内に設けられ定電流を供給する電源、３６は複数の入力のうち一を選択して出力するマルチプレクサ回路、３７はマルチプレクサ回路の動作を制御する制御手段、３８は複数の出力のうち一を選択して入力を出力するデマルチプレクサ回路、３９はデマルチプレクサ回路の動作を制御する制御手段、４０，４１及び４２は供給される定電流を後段に供給すると共に定電流の非供給時に電源を保持する保持手段、４３，４４及び４５は集積回路内に設けられ負荷回路等の供給された定電流を消費する電力消費手段である。
【００５３】
また、３４，３５，３６及び３７は電源供給手段８８を、３８，３９，４０，４１及び４２は電源分配手段８９をそれぞれ構成している。
【００５４】
電源３４及び電源３５の出力である定電流はマルチプレクサ回路３６の２つの入力端子にそれぞれ入力され、制御手段３７からの制御信号はマルチプレクサ回路３６の制御入力端子に入力される。
【００５５】
マルチプレクサ回路３６の出力端子はデマルチプレクサ回路３８の入力端子に接続され、デマルチプレクサ回路３８の３つの出力端子は保持手段４０，４１及び保持手段４３の入力端子にそれぞれ接続される。また、制御手段３９の制御信号はデマルチプレクサ回路３８の制御入力端子に入力され、制御手段３９からの非選択信号は保持手段４０，４１及び保持手段４２の制御入力端子にそれぞれ入力される。
【００５６】
保持手段４０の出力端子は電力消費手段４３の電源入力端子に接続され、同様に、保持手段４１及び４２の出力端子は電力消費手段４４及び４５の電源入力端子にそれぞれ接続される。
【００５７】
ここで、図４に示す実施例の動作を説明する。但し、図１に示す実施例と同様の動作に関しては説明を省略する。また、電源３４が供給する定電流は２つの電力消費手段４３及び電力消費手段４４にそれぞれ供給され、電源３５が供給する定電流は電力消費手段４５に供給されるものとする。
【００５８】
言い換えれば、電源３４は２つの電力消費手段４３及び４４に対応し、電源３５は電力消費手段４５に対応しているものとする。
【００５９】
制御手段３７及び制御手段３９は、例えば、リングカウンタ回路等によって構成され、同一のクロック信号等によってマルチプレクサ回路３６とデマルチプレクサ回路３８とが入力元の選択と出力先の選択とを同期して行うように制御する。また、制御手段３９は同時に選択されていない出力に接続された保持手段に非選択信号を印加する。
【００６０】
言い換えれば、マルチプレクサ回路３６が電源３４の出力を選択している場合には、デマルチプレクサ回路３８は出力先として保持手段４０（電力消費手段４３）と保持手段４１（電力消費手段４４）を時分割で順次選択する。
【００６１】
そして、マルチプレクサ回路３６が電源３５の出力を選択している場合には、デマルチプレクサ回路３８は出力先として保持手段４２（電力消費手段４５）を選択する。
【００６２】
また、制御手段３９はデマルチプレクサ回路３８が出力先として保持手段４０（電力消費手段４３）を選択している場合には保持手段４１及び４２に非選択信号を印加し、デマルチプレクサ回路３８が出力先として保持手段４１（電力消費手段４４）を選択している場合には保持手段４０及び４２に非選択信号を印加し、デマルチプレクサ回路３８が出力先として保持手段４２（電力消費手段４５）を選択している場合には保持手段４０及び４１に非選択信号を印加する。
【００６３】
そして、制御手段３７及び制御手段３９は、このような入力元の選択及び出力先の選択を時分割で連続して行うと共に、制御手段３９は、選択されていない他の保持手段に対して時分割で非選択信号を印加する。
【００６４】
このような動作により、電源３４の出力電流は電力消費手段４３及び４４で消費され、電源３５の出力電流は電力消費手段４５で消費される。
【００６５】
また、図１に示す実施例では電源供給手段と電源分配手段が一対一に対応していたが、これに限定されるものではなく、複数の電源供給手段と複数の電源分配手段との間に別途マルチプレクサ回路とデマルチプレクサ回路を設けて、複数の電源供給手段から供給される電流をマルチプレクサ回路で時分割に選択し、デマルチプレクサ回路でそれぞれ選択された電流を時分割で切り換えて対応する電源分配手段に出力しても構わない。
【００６６】
図５は本発明に係る電源供給回路の他の実施例を示す構成ブロック図である。図５において４６，４７及び４８は電源供給手段、４９は複数の入力のうち一を選択して出力するマルチプレクサ回路、５０は複数の出力のうち一を選択して入力を出力するデマルチプレクサ回路、５１，５２及び５３は電源分配手段である。
【００６７】
但し、図５においてマルチプレクサ回路４９及びデマルチプレクサ回路５０を制御する制御手段と、各電源分配手段５１〜５３の後段に設けられる電力消費手段の記載は説明の簡単のため省略している。
【００６８】
電源供給手段４６，４７及び電源供給手段４８の出力である電流はマルチプレクサ回路４９の３つの入力端子にそれぞれ入力され、マルチプレクサ回路４９の出力端子はデマルチプレクサ回路５０の入力端子に接続される。
【００６９】
デマルチプレクサ回路５０の３つの出力端子は電源分配手段５１，５２及び電源分配手段５３の入力端子にそれぞれ接続される。
【００７０】
ここで、図５に示す実施例の動作を説明する。但し、図１に示す実施例と同様の動作に関しては説明を省略する。また、電源供給手段４６，４７及び電源供給手段４８が供給する電流は電源分配手段５１，５２及び電源分配手段５３にそれぞれ供給されるものとする。
【００７１】
すなわち、複数の電源供給手段から供給される電流をマルチプレクサ回路４９で時分割に選択し、デマルチプレクサ回路５０でそれぞれ選択された電流を時分割で切り換えて対応する電源分配手段に出力すると共に図１に示す実施例のように互いに対応する各電源供給手段及び各電源分配手段が電源の出力電流を対応する電力消費手段に時分割で分配することにより、供給する電源の配線を削減することが可能になる。
【図面の簡単な説明】
【００７２】
【図１】本発明に係る電源供給回路の一実施例を示す構成ブロック図である。
【図２】電源の具体例を示す回路である。
【図３】保持手段及び電力消費手段の具体例を示す回路である。
【図４】本発明に係る電源供給回路の他の実施例を示す構成ブロック図である。
【図５】本発明に係る電源供給回路の他の実施例を示す構成ブロック図である。
【図６】従来の電源供給回路の一例を示す構成ブロック図である。
【図７】電源の具体例を示す回路である。
【図８】電力消費手段の具体例を示す回路である。
【符号の説明】
【００７３】
１，２，３，１３，１４，１５，３４，３５，８１，８５  電源
４，５，６，２３，２４，２５，４３，４４，４５，８２，８７  電力消費手段
７，８，１０，１１，２６，２７，２９，３２  トランジスタ
９，２８  定電流源
１２，３３  負荷回路
１６，３６，４９  マルチプレクサ回路
１７，１９，３７，３９  制御手段
１８，３８，５０  デマルチプレクサ回路
２０，２１，２２，４０，４１，４２，８６  保持手段
３０  スイッチ回路
３１  容量
４６，４７，４８，８０，８３，８８  電源供給手段
５１，５２，５３，８４，８９  電源分配手段
【図１】
2008090422.tif 000003
【図２】
2008090422.tif 000004
【図３】
2008090422.tif 000005
【図４】
2008090422.tif 000006
【図５】
2008090422.tif 000007
【図６】
2008090422.tif 000008
【図７】
2008090422.tif 000009
【図８】
2008090422.tif 000010